(57)【要約】【課題】ＬＡＮ接続して多量のデータ送受信が行えるとともに、インターネットを介して攻撃を受けても機能不全を起こすことのない冷凍機の遠隔監視用の通信端末を提供する。【解決手段】共有メモリ２３を介して互いにデータの受け渡しが行われる第１ブロック２１と第２ブロック２２を備える通信端末２０である。第１ブロック２１は、冷凍機４１、４２…に関するデータの入／出力が行われるＲＳ−４８５用ポート２６と、付帯設備５０に関するデータの入／出力が行われるＲＳ−２３２Ｃ用ポート２７と、これらの動作を制御する第１ＣＰＵ２４を備える。第２ブロック２２は、第１ブロック２１から共有メモリ２３を介して受信する冷凍機に関するデータを保存する第２メモリ３０と、監視センタ６０との間のデータの入／出力がＬＡＮを介して行われるＬＡＮ用ポート３３と、第２メモリ３０とＬＡＮ用ポート３３の動作を制御する第２ＣＰＵ２９を備える。【選択図】図１
2011153793.tif 000002
【特許請求の範囲】
【請求項１】
空調設備の構成要素である冷凍機と、前記冷凍機から遠隔の地にある監視機器との間に配置され、前記冷凍機と前記監視機器の間のデータの送受信を担う通信端末であって、
前記通信端末は、
共有メモリを介して互いにデータの受け渡しが行われる第１ブロックと第２ブロックを備え、
前記第１ブロックは、
前記冷凍機からのデータの入力が行われる第１通信ポートと、
前記空調設備に向けてデータの出力が行われる第２通信ポートと、
前記第１通信ポートへのデータの入力及び前記第２通信ポートからのデータの出力を制御する第１演算処理部と、を備え、
前記第２ブロックは、
前記第１ブロックから前記共有メモリを介して受信する前記冷凍機に関するデータを保存する記憶部と、
前記監視機器に向けたデータの出力がＬＡＮを介して行われる第３通信ポートと、
前記記憶部へのデータの保存及び前記第３通信ポートからデータの出力の動作を制御する第２演算処理部と、を備えることを特徴とする冷凍機遠隔監視用通信端末。
【請求項２】
前記共有メモリは、
前記第１ブロックと前記第２ブロックとの間で受け渡されるデータの発生頻度に応じて使用領域が区分けされる請求項１に記載の冷凍機遠隔監視用通信端末。
【請求項３】
前記第２ブロックの前記第２演算処理部は、前記第１ブロックが異常を起こしたことを検知すると前記第１ブロックの前記第１演算処理部をリセット処理し、
前記第１ブロックの前記第１演算処理部は、前記第２ブロックが異常を起こしたことを検知すると前記第２ブロックの前記第２演算処理部をリセット処理する、
請求項１又は２に記載の冷凍機遠隔監視用通信端末。
【請求項４】
前記第１演算処理部と前記第２演算処理部とを直接結ぶデータ転送用バスを備え、
前記共有メモリを介するデータの受け渡しが不調になると、前記データ転送用バスを介して前記データの受け渡しが行われる、
請求項１〜３のいずれか一項に記載の冷凍機遠隔監視用通信端末。
【請求項５】
空調設備の構成要素である冷凍機と、
前記冷凍機から遠隔の地にある監視機器と、
前記冷凍機と前記監視機器の間に配置され、前記冷凍機と前記監視機器の間のデータの送受信を担う通信端末と、を備える冷凍機遠隔監視システムにおいて、
前記通信端末は、
共有メモリを介して互いにデータの受け渡しが行われる第１ブロックと第２ブロックを備え、
前記第１ブロックは、
前記冷凍機に関するデータの入／出力が行われる第１（冷凍機）通信ポートと、
前記空調設備に関するデータの入／出力が行われる第２（空調設備）通信ポートと、
前記第１（冷凍機）通信ポートと前記第２（空調設備）通信ポートの動作を制御する第１演算処理部と、を備え、
前記第２ブロックは、
前記第１ブロックから前記共有メモリを介して受信する前記冷凍機に関するデータを保存する記憶部と、
前記監視機器との間のデータの入／出力がＬＡＮを介して行われる第３（ＬＡＮ）通信ポートと、
前記記憶部と前記第３（ＬＡＮ）通信ポートの動作を制御する第２演算処理部と、を備えることを特徴とする冷凍機遠隔監視システム。
【請求項６】
前記共有メモリは、
前記第１ブロックと前記第２ブロックとの間で受け渡されるデータの発生頻度に応じて使用領域が区分けされる請求項５に記載の冷凍機遠隔監視システム。
【請求項７】
前記第２ブロックの前記第２演算処理部は、前記第１ブロックが異常を起こしたことを検知すると前記第１ブロックの前記第１演算処理部をリセット処理し、
前記第１ブロックの前記第１演算処理部は、前記第２ブロックが異常を起こしたことを検知すると前記第２ブロックの前記第２演算処理部をリセット処理する、
請求項５又は６に記載の冷凍機遠隔監視システム。
【請求項８】
前記第１演算処理部と前記第２演算処理部とを直接結ぶデータ転送用バスを備え、
前記共有メモリを介するデータの受け渡しが不調になると、前記データ転送用バスを介して前記データの受け渡しが行われる、
請求項５〜７のいずれか一項に記載の冷凍機遠隔監視システム。
【発明の詳細な説明】
【技術分野】
【０００１】
本発明は、冷凍機を遠隔監視する遠隔監視システムに用いられる通信端末に関する。
【背景技術】
【０００２】
従来、冷凍機の遠隔監視に用いられる小型の通信端末として、特許文献１のものが知られている。特許文献１の通信端末は、インターフェース規格ＲＳ−４８５用ケーブルを介して、複数の冷凍機に対するデータの入／出力が行われる第１のポートと、インターフェース規格ＲＳ−２３２Ｃ用ケーブルを介してモデムと接続される第２のポートと、冷凍機との通信データ及びモデムとの通信データを格納する共有メモリと、冷凍機との通信及びモデムとの通信を制御する制御部とを備えている。
特許文献１の通信端末を用いる遠隔監視システムは、通信端末のＲＳ−２３２Ｃ用ポートにモデムを接続し、電話回線、相手側モデムを介して遠隔地にある監視用サーバに接続することで構成される。そして例えば、冷凍機に故障が発生したとき、通信端末より故障機の過去のデータが自動的に遠隔監視用システムへ送られ、故障の診断、さらには故障の予知が行われる。
【先行技術文献】
【特許文献】
【０００３】
【特許文献１】特開２００３−３２７６６号公報
【発明の概要】
【発明が解決しようとする課題】
【０００４】
特許文献１の通信端末によれば、非常に小型で可搬型データロガーとしての運用が可能であり、電源を切断して、現地から解析部門へ送付しても収集したデータをバックアップすることができる、等の効果を奏する。
冷凍機を含む空調設備全体の最適な制御を行うことで空調管理の精度をあげて、生産部品の安定性、工場全体の省エネルギ化を実現するためには、現在のデータに加えて過去のデータを監視用サーバに送信することが望まれる。しかしながら、特許文献１の通信端末は、電話回線を通じてデータを監視用サーバに送ることを前提としているが、電話回線は通信速度が遅く送受信できるデータ数に制限があった。
送受信するデータ数を増やすためには、電話回線ではなくＬＡＮ（Local Area Network）を用いればよい。しかし、ＬＡＮは接続が容易であることの裏腹に、電話回線よりセキュリティ性が劣る。つまり、第三者からインターネットを介して攻撃を受けることで、通信端末が全く機能しなくなる機能不全を起こすおそれがある。この通信端末は、冷凍機に関するデータを監視用サーバに送信するだけでなく冷凍機を含む空調設備に与えることで空調管理の精度向上に寄与する。したがって、通信端末が機能不全になると空調管理に重大な悪影響を及ぼす。
そこで本発明は、ＬＡＮ接続して多量のデータ送受信が行えるとともに、インターネット（以下、単にネットという）を介して攻撃を受けても機能不全を起こすことのない遠隔監視される冷凍機用の通信端末を提供することを目的とする。
【課題を解決するための手段】
【０００５】
本発明による冷凍機遠隔監視用通信端末（以下、単に通信端末という）は、空調設備の構成要素である冷凍機と、冷凍機から遠隔の地にある監視機器との間に配置され、冷凍機と監視機器の間のデータの送受信を担うものであり、以下の特徴を有している。
本発明による通信端末は、共有メモリを介して互いにデータの受け渡しが行われる第１ブロックと第２ブロックを備えている。
第１ブロックは、冷凍機からのデータの入力が行われる第１通信ポートと、空調設備に向けてデータの出力が行われる第２通信ポートと、第１通信ポートへのデータの入力及び第２通信ポートからの出力を制御する第１演算処理部と、を備える。
また、第２ブロックは、第１ブロックから共有メモリを介して受信する冷凍機に関するデータを保存する記憶部と、監視機器に向けたデータの出力がＬＡＮを介して行われる第３通信ポートと、記憶部へのデータの保存及び第３通信ポートからのデータの出力の動作を制御する第２演算処理部と、を備える。
本発明の通信端末は、第１演算処理部を有する第１ブロックと第２演算処理部を有する第２ブロックに区分されている。したがって、ＬＡＮ接続により外部につながっている第２ブロック（第２演算処理部）が、ネット上から攻撃を受けて機能不全を起こすことがあったとしても、ＬＡＮに接続されていない第１ブロックの第１演算処理部は機能不全に陥ることなく冷凍機及び空調設備とのデータの入／出力を継続して行うことができる。
【０００６】
本発明の通信端末において、共有メモリは、第１ブロックと第２ブロックとの間で受け渡されるデータの発生頻度に応じて使用領域が区分けされることが好ましい。このように区分することで、優先度を決めてデータの受け渡しを行うことができる。また、このように区分してデータの受け渡しを行うと、データが書き込まれる場所を固定できるので、取りこぼすことなくデータの受け渡しを行うことができる。
【０００７】
また、本発明の通信端末において、各々演算処理部を有する２つのブロックに区分することで、仮に第２ブロックの第２演算処理部が機能不全を含め異常を起こすと、第１ブロックの第１演算処理部がそのことを検知することで、第２演算処理部をリセット処理して正常に復旧させることができる。もちろん、第１ブロックの第１演算処理部が異常を起こしたことを第２ブロックの第２演算処理部が検知した場合には、第１演算処理部をリセット処理して正常に復旧させることも可能である。
【０００８】
また、本発明の通信端末において、第１演算処理部と第２演算処理部とを直接結ぶデータ転送用バスを備え、共有メモリを介するデータの受け渡しが不調になると、データ転送用バスを介してデータの受け渡しが行われることが好ましい。そうすることで、第１ブロックと第２ブロックの間のデータの受け渡しが止まるのを阻止できる。
本発明は、以上の通信端末を備えた、冷凍機遠隔監視システムをも提供する。
【発明の効果】
【０００９】
本発明の通信端末は、第１演算処理部を有する第１ブロックと第２演算処理部を有する第２ブロックに区分しているので、ネット上から攻撃を受けて第２演算処理部が機能不全を起こすことがあったとしても、ＬＡＮに接続されていない第１ブロックの第１演算処理部は機能不全に陥ることなく冷凍機及び空調設備とのデータの入／出力を継続して行うことができる。
【図面の簡単な説明】
【００１０】
【図１】本実施の形態に係る冷凍機の遠隔監視システムの全体構成を示すブロック図である。
【図２】本実施の形態に係る通信端末の構成を示すブロック図である。
【図３】本実施の形態に係る共有メモリの区分を示す図である。
【図４】本実施の形態に係る通信端末の第１ブロックと第２ブロックの間のデータ受け渡し手順を示す図である。
【発明を実施するための形態】
【００１１】
以下、添付図面に示す実施の形態に基づいてこの発明を詳細に説明する。
本実施の形態による冷凍機の遠隔監視システム１は、ビル又は工場の機械室内に設置される空調設備１０と、この空調設備１０から遠隔地にある監視センタ６０とから構成される。
空調設備１０は、遠隔監視システム１の監視対象である複数台の冷凍機４１、４２…（以下、冷凍機４１で代表させる）からなる冷凍機システム４０と、冷凍機システム４０とともに空調設備を構成する各種ポンプ、ポンプ駆動用モータ、バルブなどの付帯設備５０を備えている。
【００１２】
遠隔監視システム１は、例えば、冷凍機４１、４２…のいずれかに故障が発生したとき、その故障機の現在のデータと過去のデータが自動的に監視センタ６０へ送られ、故障の診断、ひいては故障の予知が行われるようになっている。したがって、監視センタ６０は、監視サーバ６１、コンピュータ６２等の監視機器を備え、故障に関するデータを監視サーバ６１で受信するとともに記憶し、コンピュータ６２は故障に関するデータに基づいて故障を復旧させる処置を特定する等の処理を行うことができるようになっている。また、遠隔監視システム１は、故障が発生したときに限らず、定期的に冷凍機４１、４２…に関するデータを監視センタに送ることもできる。
【００１３】
遠隔監視システム１は、空調設備１０と監視センタ６０の間のデータの送受信を担う通信端末２０を備えている。通信端末２０は、空調設備１０内に設けられており、ＬＡＮ７０により監視センタ６０の監視サーバ６１、コンピュータ６２等の監視機器と接続されている。
通信端末２０は、図２に示すように、第１ブロック２１と第２ブロック２２を備えている。第１ブロック２１と第２ブロック２２の間のデータの受け渡しは、共有メモリ２３を介して行われる。
【００１４】
第１ブロック２１は、第１ブロック２１の動作を司る第１ＣＰＵ（第１演算処理部）２４を備えている。
また、第１ブロック２１は、第１メモリ２５を備えている。第１メモリ２５は、冷凍機４１、４２…に関するデータを一時的に保存し、また、第１ＣＰＵ２４の動作を制御するプログラムが保存される。
【００１５】
第１ブロック２１は、冷凍機４１、４２…に関するデータの入力又は出力（以下、入／出力と記す）が行われるインターフェース規格ＲＳ−４８５用ポート（第１通信ポート）２６と、付帯設備５０に関するデータの入／出力が行われるＲＳ−２３２Ｃ用ポート（第２通信ポート）２７とを備えている。ＲＳ−２３２Ｃ用ポート２７は、ＰＬＣ（Programmable Logic Controller）通信機能又はＭＯＤＢＵＳ通信機能が適用される。もちろん、ＲＳ−２３２Ｃ用ポート２７にＰＬＣ通信機能が適用されるものとすると、ＭＯＤＢＵＳ通信機能が適用される他のＲＳ−２３２Ｃ用ポートを設け、両者を使用することもできる。
第１ブロック２１は、通信用のポートとして、インターフェース規格ＲＳ−２３２Ｃ用ポート２８を備えている。ＲＳ−２３２Ｃ用ポート２８は、第１ブロック２１と例えばメンテナンス用ＰＣ４３の接続に用いられる。
【００１６】
次に、第２ブロック２２は、第２ブロック２２の動作を司る第２ＣＰＵ（第２演算処理部）２９を備えている。
第２ブロック２２は、第２メモリ３０を備えている。第２メモリ３０は、第１ブロック２１から転送される冷凍機４１、４２…に関するデータを保存し、また、第２ＣＰＵ２９の動作を制御するプログラムが保存される。保存されるデータは、過去の分を含むため、第２メモリ３０は第１メモリ２５よりも大容量とされる。第２メモリ３０の一部又は全部として、リムーバブルメモリを用いることもできる。
第２ブロック２２は、リアルタイムクロック３１を備える。第２ブロック２２は、リアルタイムクロック３１を備えることで、冷凍機４１、４２…に関するデータと日時をリンクさせて第２メモリ３０に保存することができる。
【００１７】
第２ブロック２２は、監視センタ６０の監視サーバ６１、コンピュータ６２等の監視機器との間のデータの入／出力がＬＡＮを介して行われるＬＡＮ用ポート３３を備えている。また、第２ブロック２２は、通信用のポートとして、インターフェース規格ＵＳＢ用ポート３４を備えている。ＵＳＢ用ポート３４は、第２ブロック２２と例えばメンテナンス用ＰＣ４４の接続に用いられる。さらに、第２ブロック２２は、通信用のポートとして、インターフェース規格ＲＳ−２３２Ｃ用ポート３５を備えている。ＲＳ−２３２Ｃ用ポート３５は、第２ブロック２２と例えばＷＥＢ上のデータロガー４５の接続に用いられる。
【００１８】
通信端末２０は、第１ＣＰＵ２４と第２ＣＰＵ２９とを結ぶ第１ＩＩＣ（Inter-Integrated Circuit）バス３６と第２ＩＩＣバス３７を備えている。
第１ＩＩＣバス３６は、共有メモリ２３を介するデータの転送が異常により行えなくなった際に、第１ブロック２１と第２ブロック２２間のデータ転送経路になる。
第２ＩＩＣバス３７は、第１ＣＰＵ２４及び第２ＣＰＵ２９の一方に異常が発生した際に、他方が一方に対してリセット処理をする指示のデータを転送する経路になる。
【００１９】
次に、通信端末２０の動作（データの流れ）について説明する。
第１ブロック２１の第１ＣＰＵ２４は、冷凍機４１、４２…に関するデータを受け取る。このデータとしては、冷凍機４１、４２…の出力である冷水入口温度と冷水出口温度、冷凍機４１、４２…の状態を示す凝縮機圧力、蒸発器圧力などの圧力パラメータ、冷凍機４１、４２…の運転状況（運転／停止／軽負荷など）、設定温度を含む。
第１ブロック２１の第１ＣＰＵ２４は、冷凍機４１、４２…に加え付帯設備５０へ、受け取った冷凍機４１、４２…に関するデータをリアルタイムで送る。これらのデータは空調設備１０全体の最適な制御をおこない、空調設備１０が設置されているビル、工場における空調管理の精度をあげるために必要だからである。冷凍機システム４０，付帯設備５０には制御系が含まれており、第１ブロック２１からリアルタイムで送られるデータを参照して、制御系が冷凍機システム４０，付帯設備５０の制御の最適化を図る。
【００２０】
また、第１ブロック２１が受け取った冷凍機４１、４２…に関するデータを、共有メモリ２３を介して第２ブロック２２に渡す。第２ブロック２２では大容量の第２メモリ３０にこのデータを保存する。保存されたデータは、ＬＡＮ７０を介して遠隔地にある監視サーバ６１に送る。前述したように、特許文献１においては電話回線を介したデータの転送であったために、通信速度が遅く送受信できるデータ数に制限があった。これに対して、遠隔監視システム１はデータの転送手段としてＬＡＮ７０を採用するので、転送するデータの制限を増大できる。ただし、ＬＡＮは接続が簡易であるがためにセキュリティ(データ保護)の面で電話回線より劣る。そこで、通信端末２０は、第１ブロック２１と第２ブロック２２の二つに区分して、機能を分割させた。この点については、後述する。なお、電話回線用のポートも設け、監視サーバ６１との間で２方向同時のデータ転送を行うことを許容する。
【００２１】
第２メモリ３０は、第１ブロック２１から転送される現在のデータに加えて、過去のデータを保存する。また、第２メモリ３０は、冷凍機４１、４２…の故障に関する履歴データを保存する。そして、監視サーバ６１には、現在のデータに加えて、過去のデータ及び故障履歴データを送る。現在のデータは、故障の発生を予知して故障を回避するサービスに使用できる。過去のデータ及び故障履歴データは冷凍機４１、４２…の故障状況を監視センタ６０にいるオペレータ又はコンピュータ６２が解析し、即時に復旧措置をおこなうサービスに使用する。これらを実行するためには、送られるデータの信頼度が高いことが要求される。
【００２２】
次に、共有メモリ２３を介する第１ブロック２１と第２ブロック２２の間のデータの受渡しに関して図３、図４を参照して説明する。
共有メモリ２３は、図３に示すようにＡ〜Ｃの３つのエリアに分ける。３つのエリアは、定常時に受け渡されるリアルタイムデータ用のエリアＡ、故障発生時に受け渡される故障履歴データ用のエリアＢ、設定値データ及び時刻データを含む他のデータ用のエリアＣである。
以上のように区分することで、優先度を決めてデータの受け渡しを行うことができる。本実施の形態の場合、エリアＡ、エリアＢ、エリアＣの順に優先度が高く設定され、データ受け渡しが競合した場合には、優先度の高いエリアに対するデータの受け渡しが先に行われる。また、このようにエリアを区分してデータの受け渡しを行うと、データが書き込まれる場所を固定できるので、取りこぼすことなくデータの受け渡しを行うことができる利点がある。
【００２３】
冷凍機４１、４２…から送られてくる冷凍機に関するリアルタイムデータ（冷凍機データ）を第１ブロック２１は定周期で第２ブロック２２へ渡す。具体的には、図４に示すように、第１ＣＰＵ２４は、冷凍機データを共有メモリ２３のエリアＡに書き込んだ（（１）データ書込）後に、書き込みが完了したことの信号（完了信号）をＯＮにして割込みを通知する（（２）割込み通知）。第２ＣＰＵ２９は共有メモリ２３を介して割込み通知を検知することで割込みを発生させてから（（３）割込み発生）、共有メモリ２３から冷凍機データを読み込む（（４）データ読込）。第２ＣＰＵ２９は、読み込んだ冷凍機データを第２メモリ３０に保存させる。
第２ＣＰＵ２９は、冷凍機データを全て読み込んだ後に、データの受信が完了したことを示すデータ（受信完了データ）を共有メモリ２３に書込む（（５）データ書込）。第２ＣＰＵ２９は、書き込みが完了したことの信号をＯＮにして割込みを通知する（（６）割込み通知）。第１ＣＰＵ２４は共有メモリ２３を介して割込み通知を検知することで割込みを発生させてから（（７）割込み発生）、共有メモリ２３から受信完了データを読み込む（（８）データ読込）。第１ＣＰＵ２４は、読み込んだ受信完了データを第１メモリ２５に保存させる。
【００２４】
故障履歴データについては、冷凍機４１、４２…に故障が発生した場合に、故障の詳細情報が第１ブロック２１から第２ブロック２２へ渡される。データの転送手順はリアルタイムデータと同様であるが、リアルタイムデータよりも発生の頻度が低く、かつ不定期である。故障情報としては、所望値に対して、冷水温度が低い場合、凝縮圧力が高い場合、蒸発圧力が低い場合等が掲げられる。
【００２５】
エリアＣについては、主に遠隔通信側より要求のある設定値や、時刻補正用のデータ（時刻データ）など、第２ブロック２２から第１ブロック２１へ転送されるものであり、リアルタイムデータよりも発生の頻度が低く、かつ不定期である。データの転送方法はリアルタイムデータと同様である。
【００２６】
第１ＣＰＵ２４と第２ＣＰＵ２９とが第１ＩＩＣバス３６で繋がれており、共有メモリ２３を介するデータの受け渡しが正常に行われない場合には、第１ＩＩＣバス３６を介して第１ＣＰＵ２４と第２ＣＰＵ２９の間でデータの受け渡しが行われる。そうすることで、第１ブロック２１と第２ブロック２２の間のデータの受け渡しが止まるのを阻止する。
【００２７】
具体的には、上述のデータの受け渡し手順において、第１ＣＰＵ２４が冷凍機データを共有メモリ２３のエリアＡに書き込んだ（（１）データ書込）にもかかわらず、第１ＣＰＵ２４が割込み通知を検知（（７）割込み発生）しない場合が該当する。この場合、共有メモリ２３を介するデータの受け渡しに代えて、第１ＣＰＵ２４と第２ＣＰＵ２９は第１ＩＩＣバス３６を介するデータの受け渡しを行う。第１ＩＩＣバス３６を介するデータ受け渡しを行いながら、第１ＣＰＵ２４は第２ＩＩＣバス３７を介して第２ＣＰＵ２９を強制的にリセット処理するための情報（リセットデータ）を第２ＣＰＵ２９に送信する。
また、他に、第２ＣＰＵ２９が割込み通知を検知（（３）割込み発生）したにもかかわらず、第２ＣＰＵ２９が共有メモリ２３から冷凍機データを読み込む（（４）データ読込）ことができない場合も、共有メモリ２３を介するデータの受け渡しに代えて、第１ＣＰＵ２４と第２ＣＰＵ２９は第１ＩＩＣバス３６を介するデータの受け渡しを行う。第１ＩＩＣバス３６を介するデータ受け渡しを行いながら、第２ＣＰＵ２９は第２ＩＩＣバス３７を介して第１ＣＰＵ２４を強制的にリセット処理するための情報（リセットデータ）を第１ＣＰＵ２４に送信する。
【００２８】
なお、第１ＩＩＣバス３６におけるデータの転送速度は共有メモリ２３を介する受け渡しよりも遅い。したがって、第１ＩＩＣバス３６を介するデータの受け渡しを行う場合には、例えば、リアルタイムデータを例にすると、データを間引いて受け渡しするというように、受け渡すデータ量を少なくすることを考慮してもよい。
【００２９】
第１ＩＩＣバス３６を介するデータの受け渡しにも異常が生じたことを第１ＣＰＵ２４又は第２ＣＰＵ２９が判断した場合には、第２ＩＩＣバス３７を介して、一方（例えば、第１ＣＰＵ２４）が他方（例えば、第２ＣＰＵ２９）に向けて、他方を強制的にリセット処理するための情報（リセットデータ）を転送する。
【００３０】
以上説明した通信端末２０は、第１ブロック２１と第２ブロック２２に区分し、第１ブロック２１で高速応答の必要な処理、第２ブロック２２でデータロギングに加え監視センタ６０との通信に関する処理を行う。そうすることで、第２ブロック２２が遠隔地にある監視センタ６０とＬＡＮ接続されているので、ネット上からの攻撃を受けてダウンする危険性があるものの、その場合でも第１ブロック２１がダウンすることを回避できる。したがって、第２ブロック２２がダウンしても、冷凍機４１、４２…からの冷凍機データを受け取り、また、付帯設備５０への冷凍機データを渡す処理は継続して行うことができるので、空調設備１０の最適な運転を確保できる。
【００３１】
また、冷凍機４１、４２…からの冷凍機情報を受信、付帯設備５０への冷凍機情報の送信、監視センタ６０への冷凍機データ等の送信を含む全てのデータの通信を単一のＣＰＵで実施すると、処理が複雑になりリアルタイムデータのように定周期のデータ送受信を守ることができなくなる。これに対して本実施形態では、第１ブロック２１側に高速応答を重視した機能を持たせる一方、第２ブロック２２側を監視センタ６０とのデータ送受信、データ保存を重視した機能をもたせることで、機能を分離しているために、定周期のデータ送受信を遵守できる。
【００３２】
以上、本発明の実施形態を説明したが、本発明の主旨を逸脱しない限り、上記実施の形態で挙げた構成を取捨選択したり、他の構成に適宜変更することが可能である。例えば、通信用のポートをさらに増設することができるし、第１ブロック２１、第２ブロック２２にディップスイッチ等の入力手段を設けることができる。
【符号の説明】
【００３３】
１…遠隔監視システム
１０…空調設備
２０…通信端末、
２１…第１ブロック、２２…第２ブロック、２３…共有メモリ
２４…第１ＣＰＵ、２６…ＲＳ−４８５用ポート、２７…ＲＳ−２３２Ｃ用ポート
２９…第２ＣＰＵ、３０…第２メモリ、３３…ＬＡＮ用ポート
３６…第１ＩＩＣバス、３７…第２ＩＩＣバス
４０…冷凍機システム、４１…冷凍機、５０…付帯設備
６０…監視センタ、６１…監視サーバ
【図１】
2011153793.tif 000003
【図２】
2011153793.tif 000004
【図３】
2011153793.tif 000005
【図４】
2011153793.tif 000006